(57)【要約】【課題】長押しキーコードがマスター機器からスレーブ機器に伝達される際、表示装置間でキー処理の回数のずれを防止するマルチ映像システム、マルチ映像システムの制御方法および表示装置を提供する。【解決手段】デイジーチェーン接続されるスレーブ機器として機能する１台以上の第２の表示装置とを備えるマルチ映像システムにおいて、前記第１の表示装置は、リモートコントロール端末から送信される操作キーコードを受信する受信部と、前記操作キーコードに応じたキー処理を行い、前記キー処理に対応したキーコマンドを生成する制御部と、前記第２の表示装置に対して前記キーコマンドを送信するコマンド送信部と、を備え、前記制御部は、前記リモートコントロール端末の操作キーが長押しされたことを示す長押しキーコードを受信する場合、前記キー処理に対応した前記キーコマンドを生成することを特徴とするマルチ映像システム。【選択図】図４
2015103887.tif 000002
【特許請求の範囲】
【請求項１】
マスター機器として機能する第１の表示装置と前記第１の表示装置に対してデイジーチェーン接続されるスレーブ機器として機能する１台以上の第２の表示装置とを備えるマルチ映像システムにおいて、
前記第１の表示装置は、
リモートコントロール端末から送信される操作キーコードを受信する受信部と、
前記操作キーコードに応じたキー処理を行い、前記キー処理に対応したキーコマンドを生成する制御部と、
前記第２の表示装置に対して前記キーコマンドを送信するコマンド送信部と、
を備え、
前記制御部は、
前記リモートコントロール端末の操作キーが長押しされたことを示す長押しキーコードを受信する場合、前記キー処理に対応した前記キーコマンドを生成する
ことを特徴とするマルチ映像システム。
【請求項２】
前記制御部は、
前記リモートコントロール端末の操作キーが長押しされている時間の長さから前記キー処理を行うステップ数を決定し、前記キーコマンドに前記ステップ数を付加する請求項１に記載のマルチ映像システム。
【請求項３】
前記リモートコントロール端末の操作キーが長押しされている場合において、
前記制御部は、前記リモートコントロール端末の操作キーに対応する操作キーコードを生成する解析部と、
前記操作キーコードから前記リモートコントロール端末の操作キー毎に設定されるキー処理を決定し、前記キー処理を実行するキー処理部と
前記キー処理に対応した前記キーコマンドを生成するコマンド生成部を有する請求項１又は請求項２に記載のマルチ映像システム。
【請求項４】
マスター機器として機能する表示装置とスレーブ機器として機能する表示装置とがデイジーチェーン接続されたマルチ映像システムにおいて用いられる前記マスター機器として機能する表示装置であり、
リモートコントロール端末から送信される操作キーコードを受信する受信部と、
前記操作キーコードに応じたキー処理を行い、前記キー処理に対応したキーコマンドを生成する制御部と、
前記スレーブ機器に対して前記キーコマンドを送信するコマンド送信部と、
を備え、
前記制御部は、
前記リモートコントロール端末の操作キーが長押しされたことを示す長押しキーコードを受信する場合、前記キー処理に対応した前記キーコマンドを生成する
ことを特徴とする表示装置。
【請求項５】
マスター機器として機能する表示装置とスレーブ機器として機能する表示装置とがデイジーチェーン接続され、前記マスター機器がリモートコントロール端末から送信される操作キーコードを受信し、前記操作キーコードに応じたキー処理を行い、前記キー処理に対応したキーコマンドを生成し、前記スレーブ機器に対して前記キーコマンドを送信し、前記リモートコントロール端末の操作キーが長押しされたことを示す長押しキーコードを受信する場合、前記キー処理に対応した前記キーコマンドを生成し、前記スレーブ機器に前記キーコマンドを送信するマルチ映像システムにおいて用いられる前記スレーブ機器として機能する表示装置であり、
前記のマスター機器から送信される前記キーコマンドを受信するコマンド受信部と、
前記キーコマンドに対応したキー処理を行う制御部と、
を有することを特徴とする表示装置。
【請求項６】
マスター機器として機能する第１の表示装置と前記第１の表示装置に対してデイジーチェーン接続されるスレーブ機器として機能する１台以上の第２の表示装置とを備えるマルチ映像システムの制御方法において、
前記第１の表示装置は、
リモートコントロール端末から送信される操作キーコードを受信する受信工程と、
前記操作キーコードに応じたキー処理を行い、前記キー処理に対応したキーコマンドを生成する制御工程と、
前記第２の表示装置に対して前記キーコマンドを送信するコマンド送信工程と、
を備え、
前記制御工程は、
前記リモートコントロール端末の操作キーが長押しされたことを示す長押しキーコードを受信する場合、前記キー処理に対応した前記キーコマンドを生成する
ことを特徴とするマルチ映像システムの制御方法。
【発明の詳細な説明】
【技術分野】
【０００１】
本発明は、マルチ映像システム、マルチ映像システムの制御方法および表示装置に関する。
【背景技術】
【０００２】
マルチ接続された複数台の表示装置（以下、「マルチ映像システム」という。）をネットワーク接続する場合、ネットワークハブを用いたスター接続が一般的である。しかし、近年、接続性の容易さから、表示装置間をデイジーチェーン接続する方法が提案されている。デイジーチェーンとは、通信を行う複数の表示装置間を、通信線により直列に接続する方法である。デイジーチェーン接続の場合、隣接する表示装置間を通信線で接続すればよいため、表示装置の数が多い場合は、スター接続よりも接続が容易である。デイジーチェーン接続の場合、信号が伝達される方向に対して最も上流側の表示装置は、マスター機器として機能し、信号が伝達される方向に対してマスター機器の下流側にある他のすべての表示装置はスレーブ機器として機能する。また、これらの表示装置は、一般に、赤外線や電波などを用いたリモートコントロール端末（ｒｅｍｏｔｅ  ｃｏｎｔｒｏｌｌｅｒ；以下、「リモコン」という。）、例えば、赤外線リモートコントロール端末（ｉｎｆｒａｒｅｄ  ｒｅｍｏｔｅ  ｃｏｎｔｒｏｌｌｅｒ；以下、「ＩＲリモコン」という。）を用いて音量調整や受信チャンネルの切り替え等の操作が行われる。しかし、リモコンからの操作に関する指示（以下、「操作キーコード」という。）は、光信号としてマスター機器にのみ受信される。よって、マスター機器は、デイジーチェーン接続された下流側のスレーブ機器に対してリモコンからの操作キーコードを伝達している。この操作キーコードの伝達により、スレーブ機器は、マスター機器と同様の操作を行う（特許文献１）。
【先行技術文献】
【特許文献】
【０００３】
【特許文献１】特開２０１２−０８８４３３号公報
【発明の概要】
【発明が解決しようとする課題】
【０００４】
従来のマルチ映像システムにおいて、デイジーチェーン接続さている場合、リモコンの操作キーが所定の時間（Ｔａ）以上長押しされた際、まずリモコンからマスター機器に操作キーに対応する操作キーコードが送信される。次に、リモコンは、その長押しされた操作キーに対応する操作キーコードを送信してから一定時間Ｔｂ（Ｔｂ≧Ｔａ）後に、長押しキーコードをマスター機器に送信する。この長押しキーコードは、長押ししていることを示すキーコードであり、操作キーを長押ししている間、一定周期毎にリモコンからマスター機器に送信される。よって、マスター機器は、操作キーコードを受信してから一定時間Ｔｃ（Ｔｃ＞Ｔｂ）内に長押しキーコードを受信することで所定の操作キーが長押しされていると判定する。また、マスター機器は、操作キーが長押しされていると判定している間、表示装置に対して長押しされた操作キーに対応する操作（以下、「キー処理」という。）を実行している。
一方、スレーブ機器において、リモコンの操作キーが長押しされているか否かを判定する方法として、次の２通りの方法がある。第１の方法は、図７に示す通り、マスター機器が一定周期毎に長押しキーコードが送信された期間（長押し期間）の開始と終了を検出し、長押しが開始されたことを示す長押し開始コマンドと長押しが終了したことを示す長押し終了コマンドとをスレーブ機器へ送る。スレーブ機器は、長押し開始コマンドを取得してから長押し終了コマンドを取得するまでの間、リモコンの操作キーが長押しされていると判定することができる。
第２の方法は、図８に示す通り、マスター機器は、長押しキーコードを取得するとともに、スレーブ機器に長押しキーコードを送信する。スレーブ機器は、長押しキーコードを取得することで、長押しされていると判定する。
【０００５】
ただし、第１の方法は、例えば、図７の矢印１０１に示すように、マスター機器が、長押しキーコード１００を受信してから一定期間（Ｔｃ）内に長押しキーコードを受信しない場合、ユーザが操作キーを離した（長押しを停止した）とマスター機器が判定する。マスター機器は、キー処理１０２をせずに、スレーブ機器に長押し終了コマンドを送信する。しかし、長押し終了コマンドの送信又受信がすべての表示装置において、予め設定されているメイン周期毎に行われる。これにより、マスター機器がリモコンの操作キーが離されたと判断してスレーブ機器に長押し終了コマンドを送信するタイミングＴ１とスレーブ機器が長押し終了コマンドを受信するタイミングＴ２との間に遅延（Ｔ２−Ｔ１）が発生する。
この遅延のため、スレーブ機器は、キー処理２００を行った後にマスター機器から長押し終了コマンドを取得する。マスター機器は、キー処理１０２を実行しないが、スレーブ機器はキー処理２００を実行してしまい、表示装置間でキー処理の回数にずれが生じてしまう。
一方、第２の方法では、例えば、図８の矢印３０１に示すように、マスター機器は、長押しキーコード３００から一定期間（Ｔｃ）内に長押しキーコードを受信しない場合、ユーザが操作キーを離した（長押しを停止した）と判定し、キー処理３０２を実行しない。しかし、スレーブ機器は、マスター機器を介して長押しキーコードを取得するため、マスター機器がリモコンから長押しキーコード３００を受信するタイミングＴ３と、スレーブ機器が長押しキーコード４００を受信するタイミングＴ４との間に遅延（Ｔ４−Ｔ３）が発生する場合がある。この遅延が発生することにより、スレーブ機器は、前の周期で検出する必要があった長押しキーコード４００を、次の周期で検出する。そのため、スレーブ機器は、次の周期においても操作キーの長押しが継続していると判定し、キー処理５００を実行する。これより、マスター機器は、キー処理３０２を実行しないタイミングで、スレーブ機器がキー処理５００を実行してしまうため、マスター機器及びスレーブ機器においてキー処理の回数にずれが生じてしまう。
【０００６】
上述したように、スレーブ機器において、キー操作が長押しされているか否かを判定する従来の２つの方法は、両方とも表示装置間でキー処理の回数にずれが生じてしまう。この表示装置間におけるキー処理の回数がずれることにより、マルチ映像システムにおいて、音量や受信チャンネルの切り替え等の設定がデイジーチェーン接続された表示装置間で異なってしまう。
【０００７】
本発明は、このような事情に鑑みてなされたもので、その目的は、デイジーチェーン接続されたマルチ映像システムにおいて、長押しキーコードがマスター機器からスレーブ機器に伝達される際、表示装置間でキー処理の回数のずれを防止するマルチ映像システム、マルチ映像システムの制御方法および表示装置を提供することである。
【課題を解決するための手段】
【０００８】
本発明の一態様は、マスター機器として機能する第１の表示装置と前記第１の表示装置に対してデイジーチェーン接続されるスレーブ機器として機能する１台以上の第２の表示装置とを備えるマルチ映像システムにおいて、前記第１の表示装置は、リモートコントロール端末から送信される操作キーコードを受信する受信部と、前記操作キーコードに応じたキー処理を行い、前記キー処理に対応したキーコマンドを生成する制御部と、前記第２の表示装置に対して前記キーコマンドを送信するコマンド送信部と、を備え、前記制御部は、前記リモートコントロール端末の操作キーが長押しされたことを示す長押しキーコードを受信する場合、前記キー処理に対応した前記キーコマンドを生成することを特徴とするマルチ映像システムである。
【０００９】
本発明の一態様は、マスター機器として機能する表示装置とスレーブ機器として機能する表示装置とがデイジーチェーン接続されたマルチ映像システムにおいて用いられる前記マスター機器として機能する表示装置であり、リモートコントロール端末から送信される操作キーコードを受信する受信部と、前記操作キーコードに応じたキー処理を行い、前記キー処理に対応したキーコマンドを生成する制御部と、前記スレーブ機器に対して前記キーコマンドを送信するコマンド送信部と、を備え、前記制御部は、前記リモートコントロール端末の操作キーが長押しされたことを示す長押しキーコードを受信する場合、前記キー処理に対応した前記キーコマンドを生成することを特徴とする表示装置である。
【００１０】
本発明の一態様は、マスター機器として機能する表示装置とスレーブ機器として機能する表示装置とがデイジーチェーン接続され、前記マスター機器がリモートコントロール端末から送信される操作キーコードを受信し、前記操作キーコードに応じたキー処理を行い、前記キー処理に対応したキーコマンドを生成し、前記スレーブ機器に対して前記キーコマンドを送信し、前記リモートコントロール端末の操作キーが長押しされたことを示す長押しキーコードを受信する場合、前記キー処理に対応した前記キーコマンドを生成し、前記スレーブ機器に前記キーコマンドを送信するマルチ映像システムにおいて用いられる前記スレーブ機器として機能する表示装置であり、前記のマスター機器から送信される前記キーコマンドを受信するコマンド受信部と、前記キーコマンドに対応したキー処理を行う制御部と、を有することを特徴とする表示装置である。
【００１１】
本発明の一態様は、マスター機器として機能する第１の表示装置と前記第１の表示装置に対してデイジーチェーン接続されるスレーブ機器として機能する１台以上の第２の表示装置とを備えるマルチ映像システムの制御方法において、前記第１の表示装置は、リモートコントロール端末から送信される操作キーコードを受信する受信工程と、前記操作キーコードに応じたキー処理を行い、前記キー処理に対応したキーコマンドを生成する制御工程と、前記第２の表示装置に対して前記キーコマンドを送信するコマンド送信工程と、を備え、前記制御工程は、前記リモートコントロール端末の操作キーが長押しされたことを示す長押しキーコードを受信する場合、前記キー処理に対応した前記キーコマンドを生成することを特徴とするマルチ映像システムの制御方法である。
【発明の効果】
【００１２】
以上説明したように、本発明によれば、デイジーチェーン接続されたマルチ映像システムにおいて、リモコンなどの操作部から長押しキーコードが送信された場合、マスター機器は、キー処理に対応してキーコマンドを生成し、スレーブ機器に生成したキーコマンドを送信する。スレーブ機器は、キーコマンドを受信した場合、キー処理を行う。この方法により、デイジーチェーン接続された表示装置同士は、同じ回数のキー処理を行うことができる。
【図面の簡単な説明】
【００１３】
【図１】第一実施形態におけるマルチ映像システムの構成例を示す図である。
【図２】第一実施形態における表示装置１のブロック図である。
【図３】第一実施形態における制御部１１の機能ブロック図である。
【図４】第一実施形態における操作キーの長押し期間中のキーコマンド送信方法を説明する図である。
【図５】第一実施形態における制御部１１Ａの機能ブロック図である。
【図６】第二実施形態における操作キーの長押し期間中のキーコマンド送信方法を説明する図である。
【図７】従来技術におけるリモコンの操作キーが長押しされているか否かを判定する第１の方法を示す図である。
【図８】従来技術におけるリモコンの操作キーが長押しされているか否かを判定する第２の方法を示す図である。
【発明を実施するための形態】
【００１４】
（第一実施形態）
以下、本発明の一実施形態におけるマルチ映像システムを、図面を用いて説明する。図１は、本発明の第一実施形態におけるマルチ映像システムの構成例を示す図である。
図１に示すように、第一実施形態におけるマルチ映像システムは、複数の表示装置１と表示装置１を操作するための操作情報を信号として表示装置１に送信するリモコン（リモートコントロール端末）２から構成される。
複数の表示装置１の各々は、通信線３によってデイジーチェーンで接続される。図１に示すように、リモコン２からの信号が伝達される方向に対して最も上流側の表示装置は、表示装置１ａである。本発明の一実施形態のマルチ映像システムでは、リモコン２からの信号が伝達される方向に対して最も上流側の表示装置１ａは、他の表示装置１ｂ、１ｃ、１ｄにコマンドを送信するマスター機器（第１の表示装置）となる。リモコン２からの信号が伝達される方向に対してマスター機器の下流側にある他の表示装置１ｂ、１ｃ、１ｄは、マスター機器から送られたコマンドを受信するスレーブ装置（第２の表示装置）となる。なお、リモコン２からの指示は、マスター機器にのみ有効に受信され、スレーブ機器のリモコン受信部１０による受信は無効となるように設定される。本実施形態においては、デイジーチェーンで接続される表示装置の台数が４台である場合を説明するが、勿論この数に限られるものではない。
【００１５】
リモコン２は、表示装置１の動作を制御するためにマスター機器と通信する制御機器であり、例えば赤外線や電波などを用いた無線リモコンや、表示装置とリモコンとを信号線を用いて接続した有線リモコンなどを用いてもよい。本実施形態では、リモコン２は、赤外線を用いたＩＲリモコンの場合を説明する。
リモコン２は、複数の操作キーを有し、例えばその操作キー毎に対応したキーコード（以下、「操作キーコード」という。）が関連付けられている。ユーザがこの操作キーを押下した際、リモコン２はユーザの押下した操作キーに対応した操作キーコードを抽出生成する。リモコン２は、抽出生成した操作キーコードを光信号として表示装置１ａに送信する。また、ユーザが所定の操作キーを予め設定された時間Ｔａ以上長押しした場合、リモコン２は、押下した操作キーの操作キーコードを送信してから一定時間Ｔｂ経過後に長押しキーコードを表示装置１ａに送信する。つまり、ユーザが操作キーを予め設定された時間Ｔａ以上長押しした場合、リモコン２は操作キーコードと長押しキーコードを送信する。この長押しキーコードは、ユーザが操作キーを長押ししている間、光信号として一定時間Ｔｂ毎に表示装置１ａに送信される。なお、所定の操作キーを１回だけ短時間（予め設定された時間Ｔａ未満）押下することを短押しと表記する。短押しの場合、リモコン２は、押下された操作キーに対応する操作キーコードのみを送信し、長押しキーコードは送信しない。
通信線３は、マスター機器とスレーブ機器、又はスレーブ機器間で操作キーコードに対応したコマンドのやり取りを行う接続線である。通信線３は、例えばシリアル通信やＬＡＮ（Ｌｏｃａｌ  ａｒｅａ  ｎｅｔｗｏｒｋ）を利用することができる接続線である。
【００１６】
次に、表示装置１のマスター機器及びスレーブ機器について、図２を用いて説明する。図２は、本実施形態における表示装置１のブロック図である。なお、マスター機器とスレーブ機器は、同様な構成である。
表示装置１は、リモコン受信部１０、制御部１１、コマンド送信部１２、コマンド受信部１３を備えている。
リモコン受信部１０は、リモコン２からの信号を受光すると、パルス波形の電気信号に変換して制御部１１に送信する。ただし、スレーブ機器のリモコン受信部１０は、動作が無効となるように設定されており、リモコン２からの光信号を無効にする。
制御部１１は、リモコン受信部１０から送信されたパルス波形の電気信号（以下、「パルス信号」という。）から操作キーコードを生成し、表示装置１に対してその操作キーに対応した処理（以下、「キー処理」）を行う。また、制御部１１は、キー処理に対応したキーコマンドを生成し、コマンド送信部１２に送信する。
【００１７】
表示装置１への電源投入時において、制御部１１は、自身を含む表示装置１がマスター機器として機能するのか、もしくはスレーブ機器として機能するかの判定を行う。制御部１１は、コマンド受信部１３から第１の制御信号（後述）を受信した場合、マスター機器として機能する（以下、「マスターモード」という。）と判定する。一方、制御部１１は、コマンド受信部１３から第２の制御信号（後述）を受信した場合、スレーブ機器として機能する（以下、「スレーブモード」という。）と判定する。制御部１１のマスターモードとスレーブモードの動作に関しては、後述する。
【００１８】
コマンド送信部１２は、次段の表示装置１のコマンド受信部１３と通信線を介して接続される。コマンド送信部１２は、制御部１１から送信されたキーコマンドを次段の表示装置１に送信する。
【００１９】
コマンド受信部１３（表示装置１ｂ）は、コマンド送信部１２から送信されたキーコマンドを制御部１１（表示装置１ｂ）に送信する。また、コマンド受信部１３は、電源が供給された際に、自身に通信線３が接続されているか否かを判定する。判定方法は、例えばコマンド受信部１３が通信線３を介して接続されているコマンド送信部１２に問い合わせを行う。コマンド受信部１３は、コマンド送信部１２から一定時間Ｔ６以内にレスポンスを示すコマンドが返ってくる場合、自身に通信線３が接続されていると判定する。一方、コマンド受信部１３は、コマンド送信部１２から一定時間Ｔ６以内レスポンスが返ってこない場合、自身に通信線３が接続されていないと判定する。また、不図示のスイッチが表示装置１の各々に設置されており、ユーザがそのスイッチを切り換えることで、コマンド受信部１３に通信線３が接続されていると判定するようにしても良い。なお、上記の通信線３がコマンド受信部１３に接続しているか否かを判定する方法は例であって、上記の方法には限定されない。また、表示装置１ａのコマンド受信部１３と例えばＰＣ（Ｐｅｒｓｏｎａｌ  Ｃｏｍｐｕｔｅｒ）などとが通信線３で接続されていても良い。
【００２０】
コマンド受信部１３は、自身に通信線３が接続されていないと判定した場合、自身に通信線３が接続されていないことを示す信号（以下、「第１の制御信号」という。）を制御部１１に送信する。一方、コマンド受信部１３は、自身に通信線３が接続されていると判定した場合、自身に通信線３が接続されていることを示す信号（以下、「第２の制御信号」という。）を制御部１１に送信する。なお、コマンド受信部１３は、自身に通信線３が接続され、通信線３の接続先として表示装置１以外が接続されていると判定した場合、第１の制御信号を制御部１１に送信し、自身に通信線３が接続され、通信線３の接続先として表示装置１が接続されていると判定した場合、第２の制御信号を制御部１１に送信するようにしても良い。
また、制御部１１は、キー処理に対応した操作キーコードをキーコマンドとして生成してもよい。この場合、例えばコマンド送信部１２はスレーブ機器である表示装置１ｂのリモコン受信部１０と信号線で接続され、コマンド送信部１２はスレーブ機器である表示装置１ｂのリモコン受信部１０にキーコマンドである操作キーコードを送信する。スレーブ機器である表示装置１ｂの制御部１１は、リモコン受信部１０をコマンド受信部１３としてキーコマンドを受信する。
【００２１】
次に、制御部１１について、図３を用いて説明する。図３は、本実施形態の制御部１１の機能ブロック図である。
制御部１１は、解析部１１０、キー処理部１１２、コマンド生成部１１３を備えている。以下に、マスターモードとスレーブモードとにおける制御部１１の動作について説明する。
【００２２】
＜マスターモード＞
制御部１１のマスターモードについて説明する。
解析部１１０は、リモコン受信部１０から送信されたパルス信号から操作キーコードを生成し、キー処理部１２２に出力する。また、解析部１１０は、自身に含まれるタイマー（不図示）において操作キーコードを生成してから計時を行う。なお、計時は、制御部１１が備える一定の周波数の動作クロックなどを用いて行っても良い。
解析部１１０は、操作キーコードを生成してから一定時間Ｔｃ（Ｔｃ≧Ｔｂ）以内にパルス信号から長押しキーコードを検出した場合、検出した操作キーコードに対応する操作キーが長押しされていると判定する。よって、解析部１１０は、操作キーが長押しされていると判定すると、直前に確定した操作キーコード（以下、「最新の操作キーコード」という。）をキー処理部１１２に出力する。また、ユーザが操作キーの長押しを継続している場合、リモコン２は、長押しキーコードを光信号として一定時間Ｔｂ毎に送信する。解析部１１０は、長押しキーコードを検出してから一定時間Ｔｃ以内に次回の長押しキーコードを検出する場合、操作キーの長押しが継続されていると判定し、再度、最新の操作キーコードをキー処理部１１２に出力する。
【００２３】
一方、解析部１１０は、操作キーコードを生成してから一定時間Ｔｃ以内に長押しキーコードを検出しなかった場合、操作キーが長押しされておらず短押しであると判定する。この場合、解析部１１０は、キー処理部１１２部とコマンド生成部１１３に最新の操作キーコードを出力しない。また、解析部１１０は、長押しキーコードを検出してから一定時間Ｔｃ以内に次回の長押しキーコードを検出しなかった場合、ユーザが操作キーから手を離したと判定する。この場合、解析部１１０は最新の操作キーコードをキー処理部１１２に出力することを停止する。
【００２４】
キー処理部１１２は、解析部１１０から操作キーコードを受信すると、記憶部（不図示）に予め記憶してある操作キーテーブルを参照し、受信した操作キーコードに対応するキー処理を決定する。操作キーテーブルには、リモコン２の各操作キーに割り当てられた操作キーコードと、その操作キーコード毎のキーコマンド（後述）と、その操作キーコード毎のキー処理とが対応付けられている。なお、キーコマンド（後述）毎のキー処理が対応付けられていてもよい。キー処理は、例えば、音量を上げる処理や表示画面の輝度を上げる処理である。キー処理部１１２は、決定したキー処理を実行する。また、キー処理部１１２は、キー処理を実行すると同時にコマンド生成部１１３に操作キーコードを出力する。
【００２５】
コマンド生成部１１３は、キー処理部１１２から出力された操作キーコードを受信すると、記憶部（不図示）に予め記憶してある操作キーテーブルを参照し、受信した操作キーコードに対応するキーコードを決定する。キーコマンドは、通信線３を介してスレーブ機器に操作キーコードに対応したキー処理を行わせるためのコマンドであり、キー処理と１対１で対応付けられている。コマンド生成部１１３は、決定したキーコマンドをコマンド送信部１２に出力する。
【００２６】
＜スレーブモード＞
解析部１１０は、自身を含む表示装置１のコマンド受信部１３から送信されたキーコマンドを受信する。また、解析部１１０は、受信したキーコマンドをキー処理部１１２に出力する。キー処理部１１２は、解析部１１０からキーコマンドを受信すると、記憶部（不図示）に予め記憶してある操作キーテーブルを参照し、受信したキーコマンドに対応するキー処理を決定する。キー処理部１１２は、決定したキー処理を実行する。また、キー処理部１１２は、キー処理を実行すると同時にコマンド生成部１１３にキーコマンドを出力する。コマンド生成部１１３は受信したキーコマンドをコマンド送信部１２に出力する。キー処理部１１２は、解析部１１０から出力されたキー処理を実行する。
【００２７】
制御部１１は、例えば、ＣＰＵ（Ｃｅｎｔｒａｌ  Ｐｒｏｃｅｓｓｉｎｇ  Ｕｎｉｔ）、およびＲＡＭ（Ｒａｎｄｏｍ  Ａｃｃｅｓｓ  Ｍｅｍｏｒｙ）等の記憶媒体などを有する。この場合、上述の各機能部は、ＣＰＵが制御プログラムを実行することにより実現される。
【００２８】
次に本実施形態のマルチ映像システムにおける操作キーの長押し期間中のキーコマンド送信方法について、図４を用いて説明する。図４は、本実施形態のマルチ映像システムにおける操作キーの長押し期間中のキーコマンド送信方法を説明する図である。
ユーザが所定の操作キー（例えば操作キーＡ）を予め設定された時間Ｔａ以上長押しした場合、リモコン２は、押下した操作キーＡに対応する操作キーコード６０を光信号として送信する。また、リモコン２は、操作キーコード６０から一定時間Ｔｂ後に長押しキーコード６１ａを光信号としてマスター機器に送信する。長押しキーコード６１は、ユーザが操作キーＡを長押ししている間、一定時間Ｔｂ毎にマスター機器に送信される。なお、本実施形態では、操作キーＡは、表示装置１の音量を上げる操作キーである場合を例にして説明する。
【００２９】
マスター機器の解析部１１０は、リモコン受信部１０から受信した操作キーコード６０のパルス信号から操作キーＡに対応する操作キーコードを生成する。また、マスター機器の解析部１１０は、生成した操作キーＡに対応する操作キーコードをキー処理部１１２に出力する。また、マスター機器の解析部１１０は、操作キーＡに対応する操作キーコードを生成してから一定時間Ｔｃ以内に長押しキーコード６１ａを検出した場合、操作キーＡが長押しされていると判定する。マスター機器の解析部１１０は、操作キーＡが長押しされていると判定した場合、マスター機器のキー処理部１１２に操作キーＡに対応する操作キーコードを出力する。
また、マスター機器の解析部１１０は、長押しキーコード６１ａを検出してから一定時間Ｔｃ以内に長押しキーコード６１ｂを検出した場合、ユーザが操作キーＡの長押しを継続していると判定する。この判定より、マスター機器の解析部１１０は、マスター機器のキー処理部１１２に操作キーＡに対応する操作キーコードを一定周期毎に出力する。マスター機器のキー処理部１１２は、マスター機器の解析部１１０から送信された操作キーＡに対応する操作キーコードに対応したキー処理、つまり音量を上げる処理を実行する。また、マスター機器のキー処理部１１２は、音量を上げる処理を実行すると同時に、操作キーＡに対応する操作キーコードをコマンド生成部１１３に送信する。マスター機器のコマンド生成部１１３は、キー処理部１１２から送信される操作キーＡに対応する操作キーコードを受信し、その操作キーコードに対応するキーコマンドを決定する。マスター機器のコマンド生成部１１３は、決定したキーコマンドをコマンド送信部１２を介してスレーブ機器のコマンド受信部１３に送信する。
【００３０】
解析部１１０は、自身を含む表示装置１のコマンド受信部１３から送信されたキーコマンドを受信する。また、解析部１１０は、受信したキーコマンドをキー処理部１１２に出力する。キー処理部１１２は、解析部１１０からキーコマンドを受信すると、記憶部（不図示）に予め記憶してある操作キーテーブルを参照し、受信したキーコマンドに対応するキー処理（音量を上げる処理）を決定する。キー処理部１１２は、決定したキー処理（音量を上げる処理）を実行する。また、キー処理部１１２は、キー処理（音量を上げる処理）を実行すると同時にコマンド生成部１１３にキーコマンドを出力する。コマンド生成部１１３は受信したキーコマンドをコマンド送信部１２に出力する。キー処理部１１２は、解析部１１０から出力されたキー処理（音量を上げる処理）を実行する。
【００３１】
一方、マスター機器の解析部１１０は、長押しキーコード６１ｋを検出してから一定時間Ｔｃ以内に長押しキーコードを検出しなかった場合、ユーザが操作キーＡの長押しを止めたと判定する。よって、マスター機器の解析部１１０は、マスター機器のキー処理部１１２に操作キーＡに対応する操作キーコードを送信することを停止する。よって、マスター機器のキー処理部１１２は、音量を上げる処理６２を停止し、マスター機器のコマンド生成部１１３に操作キーＡに対応する操作キーコードを送信しない。このため、マスター機器のコマンド生成部１１３は、キーコードを生成せず、マスター機器からスレーブ機器にキーコマンド６３を送信することを停止する。よって、スレーブ機器は、キー処理６４を実行することを停止する。
【００３２】
上述したように、本実施形態によれば、デイジーチェーン接続されたマルチ映像システムにおいて、ユーザが操作キーを長押ししている場合、マスター機器の制御部は、操作キーコードを生成し、生成したキーコードに対応するキー処理を実行する。また、マスター機器の制御部は、キー処理を実行する毎にキーコマンドを生成し、スレーブ機器に生成したキーコマンドを送信する。スレーブ機器は、キーコマンドを前段の表示装置１から受信することにより、キー処理を行う。この方法により、デイジーチェーン接続された表示装置同士は、キー処理を実行した回数にずれが生じることなく、同じ回数のキー処理を行うことができる。
【００３３】
（第二実施形態）
次に、本発明の第二実施形態について説明する。図５は、本発明の第二実施形態における制御部１１Ａの機能ブロック図である。本発明の第二実施形態は、第一実施形態における図３の制御部１１を図５に示す制御部１１Ａに置き換えたものである。なお、図３と同様の構成には同一の符号を付してある。以下、構成及び動作が第一実施形態と異なる点を説明する。
【００３４】
制御部１１Ａは、解析部１１０Ａ、キー処理部１１２、コマンド生成部１１３Ａ、計測部１１４Ａを備えている。以下に、マスターモードとスレーブモードの制御部１１Ａについて説明する。
【００３５】
＜マスターモード＞
解析部１１０Ａは、解析部１１０の機能と同様の機能を有する。また、解析部１１０Ａは、リモコン受信部１０から送信されたパルス信号から操作キーコードを生成した場合、計測部１１４Ａに操作キーコードを生成したことを示す信号（以下、「計測信号」という。）を送信する。また、解析部１１０Ａは、操作キーコードを生成してから一定時間Ｔｃ以内に長押しキーコードを検出しない場合（短押しと判定した場合）、計測部１１４Ａにリセット信号を送信する。また、解析部１１０Ａは、長押しキーコードを検出してから一定時間Ｔｃ以内に次回の長押しキーコードを検出しなかった場合（ユーザが操作キーから長押しを止めたと判定した場合）、計測部１１４Ａにリセット信号を送信する。
【００３６】
計測部１１４Ａは、解析部１１０Ａから送信された計測信号を受信した時点から計時を開始する。また、計測部１１４Ａは、解析部１１０Ａからリセット信号を受信すると計時時間ｔをゼロにリセットする。計時時間ｔは、計測部１１４Ａが計測を開始してからの経過時間であり、ユーザが操作キーを長押ししている時間を表している。
【００３７】
キー処理部１１２Ａは、解析部１１０Ａから操作キーコードを受信すると、記憶部（不図示）に予め記憶してある操作キーテーブルを参照し、受信した操作キーコードに対応するキー処理を決定する。また、キー処理部１１２Ａは、解析部１１０Ａから操作キーコードを受信すると同時に、計測部１１４Ａから計測時間ｔを取得する。キー処理部１１２Ａは、記憶部（不図示）に予め記憶してあるステップテーブルを参照し、計測時間ｔに対応するステップ数を決定する。ステップテーブルには、計測時間ｔと、計測時間ｔ毎のステップ数が対応付けられている。例えば、０≦ｔ＜５ｓのステップ数が１回、５≦ｔ＜１０のステップ数が５回、１０≦ｔのステップ数が１０回である。よって、例えば、計測時間ｔが６ｓであり、決定したキー処理が音量を上げる処理であった場合、キー処理部１１２Ａは、音量を５ステップ上げる処理を実行する。
また、キー処理部１１２Ａは、キー処理を実行すると同時に、コマンド生成部１１３Ａに決定したキー処理のステップ数を付加した操作キーコードを出力する。
【００３８】
コマンド生成部１１３Ａは、キー処理部１１２Ａから出力された操作キーコードを受信すると、記憶部（不図示）に予め記憶してある操作キーテーブルを参照し、受信した操作キーコードに対応するキーコードを決定する。また、コマンド生成部１１３Ａは、キー処理部１１２Ａから受信した操作キーコードからキー処理のステップ数を抽出する。コマンド生成部１１３Ａは、決定したキーコマンドに抽出したキー処理のステップ数を付与し、コマンド送信部１２に送信する。
【００３９】
＜スレーブモード＞
解析部１１０Ａは、自身を含む表示装置１のコマンド受信部１３から送信されたキーコマンドを受信する。また、解析部１１０Ａは、受信したキーコマンドをキー処理部１１２Ａに出力する。キー処理部１１２Ａは、解析部１１０Ａからキーコマンドを受信すると、記憶部（不図示）に予め記憶してある操作キーテーブルを参照し、受信したキーコマンドに対応するキー処理（音量を上げる処理）を決定する。また、キー処理部１１２Ａは、受信したキーコマンドからステップ数を抽出する。キー処理部１１２Ａは、決定したキー処理（音量を上げる処理）を抽出したステップ数まで実行する。また、キー処理部１１２Ａは、キー処理（音量を上げる処理）を実行すると同時にコマンド生成部１１３にキーコマンドを出力する。コマンド生成部１１３は受信したキーコマンドをコマンド送信部１２に出力する。キー処理部１１２Ａは、解析部１１０Ａから出力されたキー処理（音量を上げる処理）を実行する。
【００４０】
次に本実施形態のマルチ映像システムにおける操作キーの長押し期間中のキーコマンド送信方法について、図６を用いて説明する。図６は、本実施形態のマルチ映像システムにおける操作キーの長押し期間中のキーコマンド送信方法を説明する図である。
ユーザが所定の操作キー（例えば操作キーＡ）を所定の時間以上長押しした場合、リモコン２は、押下した操作キーＡに対応する操作キーコード７０を光信号として送信する。また、リモコン２は、操作キーコード７０から一定時間Ｔｂ後に長押しキーコード７１ａを光信号としてマスター機器に送信する。長押しキーコード７１は、ユーザが操作キーＡを長押ししている間、一定時間Ｔｂ毎にマスター機器に送信される。なお、操作キーＡは、表示装置１の音量を上げる操作キーである場合を例にして説明する。
【００４１】
マスター機器の解析部１１０Ａは、リモコン受信部１０から受信した操作キーコード７０のパルス信号から操作キーＡに対応する操作キーコードを生成する。また、マスター機器の解析部１１０Ａは、計測部１１４Ａに計測信号を送信し、計測部１１４Ａの計時を開始させる。
【００４２】
マスター機器の解析部１１０Ａは、リモコン受信部１０から受信した操作キーコード７０のパルス信号から操作キーＡに対応する操作キーコードを生成する。また、マスター機器の解析部１１０Ａは、生成した操作キーＡに対応する操作キーコードをキー処理部１１２Ａに出力する。また、マスター機器の解析部１１０Ａは、操作キーＡに対応する操作キーコードを生成してから一定時間Ｔｃ以内に長押しキーコード７１ａを検出した場合、操作キーＡが長押しされていると判定する。マスター機器の解析部１１０Ａは、操作キーＡが長押しされていると判定した場合、マスター機器のキー処理部１１２Ａに操作キーＡに対応する操作キーコードを出力する。
また、マスター機器の解析部１１０Ａは、長押しキーコード７１ａを検出してから一定時間Ｔｃ以内に長押しキーコード７１ｂを検出した場合、ユーザが操作キーＡの長押しを継続していると判定する。この判定より、マスター機器の解析部１１０Ａは、マスター機器のキー処理部１１２Ａに操作キーＡに対応する操作キーコードを出力する。
【００４３】
マスター機器のキー処理部１１２Ａは、マスター機器の解析部１１０Ａから操作キーコードを受信し、受信した操作キーコードに対応したキー処理を決定する。マスター機器のキー処理部１１２Ａは、マスター機器の解析部１１０Ａから操作キーコードを受信すると同時に、計測部１１４Ａから計測時間ｔを取得する。キー処理部１１２Ａは、計測時間ｔに対応するステップ数を決定し、そのステップ数においてキー処理を実行する。例えば、計測時間ｔが６ｓであった場合、キー処理部１１２Ａは、音量を５ステップ上げる処理を実行する。
【００４４】
マスター機器のコマンド生成部１１３Ａは、マスター機器のキー処理部１１２Ａから送信される操作キーＡに対応する操作キーコードを受信し、その操作キーコードに対応するキーコマンドを決定する。また、マスター機器のコマンド生成部１１３Ａは、キー処理部１１２Ａから受信した操作キーコードからキー処理のステップ数を抽出する。コマンド生成部１１３Ａは、決定したキーコマンドに抽出したキー処理のステップ数を付与し、コマンド送信部を介してスレーブ機器のコマンド受信部１３に送信する。
【００４５】
スレーブ機器の解析部１１０Ａは、スレーブ機器のコマンド受信部１３から送信されるキーコマンドを解析し、キー処理（音量を上げる処理）を決定する。スレーブ機器の解析部１１０はキーコマンドからステップ数を抽出する。スレーブ機器のキー処理部１１２Ａは、音量を５ステップ上げる処理を実行する。また、スレーブ機器の解析部１１０Ａは、自身を含む表示装置１のコマンド受信部１３から受信したキーコマンドをコマンド送信部１２に出力する。
【００４６】
一方、マスター機器の解析部１１０Ａは、長押しキーコード７１ｋを検出してから一定時間Ｔｃ以内に長押しキーコードを検出しなかった場合、ユーザが操作キーＡの長押しを止めたと判定する。よって、マスター機器の解析部１１０Ａは、マスター機器のキー処理部１１２Ａに操作キーＡに対応する操作キーコードを送信することを停止する。よって、マスター機器のキー処理部１１２Ａは、音量を上げる処理６２を停止し、マスター機器のコマンド生成部１１３に操作キーＡに対応する操作キーコードが送信されない。このため、マスター機器のコマンド生成部１１３は、キーコードを生成することができず、マスター機器からスレーブ機器にキーコマンド６３を送信することを停止する。よって、スレーブ機器は、キー処理６４を実行することを停止する。また、マスター機器の解析部１１０Ａは、計測部１１４Ａにリセット信号を送信し、計時時間ｔをゼロにリセットする。
【００４７】
上述したように、本実施形態によれば、デイジーチェーン接続されたマルチ映像システムにおいて、ユーザが操作キーを長押ししている場合、マスター機器は、操作キーコードを生成し、キー処理の実行する毎にキーコマンドを生成し、スレーブ機器に生成したキーコマンドを送信する。スレーブ機器は、キーコマンドを受信した場合、キー処理を行う。この方法により、デイジーチェーン接続された表示装置同士は、キー処理の回数にずれが生じることなく、同じ回数のキー処理を行うことができる。
また、ユーザが操作キーを長押ししている時間ｔを計測し、その時間ｔに応じてキー処理のステップ数を変化させる。また、そのステップ数をキーコマンドに付加し、スレーブ機器に送信することにより、同様のキー処理のステップ数を変化させることができる。この方法により、ユーザが操作キーを長押ししている場合、デイジーチェーン接続された表示装置同士は、キー処理の回数にずれが生じることなく、同じ回数のキー処理を行うと同時にキー処理のスピードアップも実現することができる。
【００４８】
本実施形態では、キー処理部１１２Ａは、操作キーコードにステップ数を付加し、コマンド生成部１１３Ａに出力している。また、コマンド生成部１１３Ａは、生成したキーコマンドにステップ数を付加してコマンド送信部１２に出力している。しかしながら、本実施形態は、これに限られるものではない。例えば、キー処理部１１２Ａ、コマンド生成部１１３Ａは、ステップ数を示す操作キーコード、ステップ数を示すキーコマンドを出力するようにしてもよい。
【００４９】
例えば、キー処理部１１２Ａは、記憶部（不図示）に予め記憶してある第１のテーブルを参照し、ステップ数又は計測時間ｔに対応するステップ数を示す操作キーコードを取得する。第１のテーブルには、ステップ数又は計測時間ｔと、ステップ数又は計測時間ｔ毎のステップ数を示す操作キーコードが対応付けられている。また、ステップテーブルにステップ数又は計測時間ｔ毎のステップ数を示す操作キーコードを予め記憶しておき、キー処理部１１２Ａは、ステップテーブルを参照し、ステップ数を示す操作キーコードを取得してもよい。キー処理部１１２Ａは、ステップ数を示す操作キーコードをコマンド生成部１１３Ａに出力する。
コマンド生成部１１３Ａは、記憶部（不図示）に予め記憶してある第２のテーブルを参照し、受信したステップ数を示す操作キーコードに対応するステップ数を示すキーコマンドを取得する。第２のテーブルには、ステップ数を示す操作キーコードと、ステップ数を示す操作キーコード毎のステップ数を示すキーコマンドが対応付けられている。また、上述した第１のテーブルと第２のテーブルとを統合し、１つのテーブルとして上記の記憶部に予め記憶してもよい。
【００５０】
また、本実施形態では、キー処理部１１２Ａが計測時間ｔに応じてステップ数を決定しているが、本実施形態は、これに限られるものではない。例えば、解析部１１０Ａが計測時間に応じてステップ数を決定し、決定したステップ数をキー処理部１１２Ａに出力してもよい。
【００５１】
また、本実施形態では、キー処理部１１２Ａ、コマンド生成部１１３Ａは操作キーコード、キーコマンドにステップ数を付加して出力しているが、本実施形態は、これに限られるものではない。例えばキー処理部１１２Ａ、コマンド生成部１１３Ａは計測時間ｔに応じて操作キーコード、キーコマンドの出力回数を変化させてもよい。例えば０≦ｔ＜Ｔａのときは一定時間Ｔｂ以内に操作キーコードを１回出力し、Ｔａ≦ｔ＜Ｔｂのときは一定時間Ｔｂ以内に操作キーコードを５回出力する。その際、操作キーコードは、例えば音量を１ステップ上げるキー処理に対応する。
【００５２】
また、上述した本発明の実施形態では、制御部１１（及び制御部１１Ａ）は、キー処理を行う毎にキーコマンドを生成する、つまりキー処理を実行した後にキーコマンドの生成をしていたが、本実施形態は、これに限られるものではない。例えば、解析部１１０（及び解析部１１０Ａ）は、キー処理部１１２（及びキー処理部１１２Ａ）とコマンド生成部１１３（及びコマンド生成部１１３Ａ）に操作キーコマンドを出力することで、キー処理の実行をし、かつキーコマンド生成を行ってもよいし、キー処理の実行よりもキーコマンドの生成を先に行ってもよい。
【００５３】
以上、本発明の実施形態について図面を参照して詳述してきたが、具体的な構成はこの実施形態に限られるものではなく、この発明の要旨を逸脱しない範囲の変更等も含まれる。
【符号の説明】
【００５４】
１  表示装置
１ａ  マスター機器
１ｂ、１ｃ、１ｄ  スレーブ機器
２  リモコン
３  通信線
１０  リモコン受信部
１１  制御部
１２  コマンド送信部
１３  コマンド受信部
１１０、１１０Ａ  解析部
１１２、１１２Ａ  キー処理部
１１３、１１３Ａ  コマンド生成部
１１４Ａ  計測部
６０、７０  操作キーコード
６１、７１、３００、４００  長押しキーコード
６３  キーコマンド
６２、６４、１０２、２００、３０２、５００  キー処理
【図１】
2015103887.tif 000003
【図２】
2015103887.tif 000004
【図３】
2015103887.tif 000005
【図４】
2015103887.tif 000006
【図５】
2015103887.tif 000007
【図６】
2015103887.tif 000008
【図７】
2015103887.tif 000009
【図８】
2015103887.tif 000010